(57)【要約】【課題】簡単に積み重ねることができるとともに、軽量で使い勝手のよい受けかごを提供する。【解決手段】長方形の上枠体２と、該上枠体２よりも長辺、短辺がそれぞれ小さい長方形からなる底体１と、上記上枠体２と底体１とを連結する連結部材３とからなるとともに、上記底体の長辺の両側端縁から平面視略コの字形の張り出し部４１、４２が延設された受けかごＡであって、上記上枠体２の短辺と底体１の短辺とを連結する連結部材３が除去されたことを特徴とする。【選択図】図１
2005068799.tif 000002
【特許請求の範囲】
【請求項１】
長方形の上枠体と、該上枠体よりも長辺、短辺がそれぞれ小さい長方形からなる底体と、上記上枠体と底体とを連結する連結部材とからなるとともに、上記底体の長辺の両側端縁から平面視略コの字形の張り出し部が延設された受けかごであって、上記上枠体の短辺と底体の短辺とを連結する連結部材が除去されたことを特徴とする積み重ね可能な受けかご。
【請求項２】
上記上枠体の長辺が、上記底体の長辺と該底体の両側に延設された張り出し部の長さとの合計よりも長い請求項１に記載の積み重ね可能な受けかご。
【請求項３】
上記上枠体の長辺が、上記底体の長辺と該底体の両側に延設された張り出し部の長さとの合計よりも短い請求項１に記載の積み重ね可能な受けかご。
【請求項４】
上記底体が線材を格子状に加工して形成されるとともに、この格子状底体と上枠とを連結する連結部材も線材を格子状に加工して形成されたものである請求項１に記載の積み重ね可能な受けかご。
【請求項５】
上記線材が鋼線を樹脂コーテイングしてなる請求項４に記載の積み重ね可能な受けかご。
【発明の詳細な説明】
【技術分野】
【０００１】
本発明は、受けかごに関する。さらに詳しくは、例えば、床下収納庫に利用して食品等を収納するとともに、用いないときは、積み重ねができる受けかごの構造に関する。
【背景技術】
【０００２】
近年、台所の床下を有効利用し、収納空間を増やすために床下収納庫が普及しており、この床下収納庫の構造に関しては、種々の技術が提案されている。また、床下収納庫においては、使い勝手のよい上部空間がデッドスペースとならないように、庫内側板の上部に相対向する段差を設け、受けかごの底部両端縁に張り出し部を設けるとともに、この張り出し部を上記段差に横架し、日常よく出し入れをする食品、飲み物等を受けかごに収納する技術も知られている。
【特許文献１】実開平４−８４６４９号公報（第１頁、第１〜３図）
【特許文献２】特開昭５３−７６５２３号公報（第１〜２頁、第１〜３図）
【発明の開示】
【発明が解決しようとする課題】
【０００３】
しかしながら、底部に張り出し部を設けた上記受けかごは、その製造工程、輸送工程等において積み重ねる際、あるいは家庭内で複数の受けかごを用いる際、上記張り出し部が邪魔となって積み重ねることが困難であり、保管のために大きなスペースを要するという問題がある。そこで、本発明は、上記した問題を解決して、簡単に積み重ねることができるとともに、軽量で使い勝手のよい受けかごを提供することを、その課題とする。
【課題を解決するための手段】
【０００４】
本発明は、上記課題を解決するために、つぎのような技術的手段を講じている。すなわち、本発明によれば、長方形の上枠体と、該上枠体よりも長辺、短辺がそれぞれ小さい長方形からなる底体と、上記上枠体と底体とを連結する連結部材とからなるとともに、上記底体の長辺の両側端縁から平面視略コの字形の張り出し部が延設された受けかごであって、上記上枠体の短辺と底体の短辺とを連結する連結部材が除去されたことを特徴とする積み重ね可能な受けかごが提供される。
【０００５】
上記上枠体の長辺が、上記底体の長辺と該底体の両側に延設された張り出し部の長さとの合計よりも長いことが好ましい。
【０００６】
上記上枠体の長辺が、上記底体の長辺と該底体の両側に延設された張り出し部の長さとの合計よりも短いことが好ましい。
【０００７】
上記底体が線材を格子状に加工して形成されるとともに、この格子状底体と上枠とを連結する連結部材も線材を格子状に加工して形成されることが好ましい。また、上記線材が鋼線を樹脂コーテイングしてなることが好ましい。
【発明の効果】
【０００８】
請求項１に記載の発明は上記のとおりであり、とくに、上記上枠体の短辺と底体の短辺とを連結する連結部材が除去されて開口部を形成しているから、上記開口部に、上積みする方の受けかごの底体の長辺の片側に延設された張り出し部を内挿し、その後、反対側に延設された張り出し部を収めることによって、容易に積み重ねることができる。
【０００９】
上記上枠体の長辺が、上記底体の長辺と該底体の両側に延設された張り出し部の長さとの合計よりも長いため、上積みする方の受けかごを、そのまま、上積みされる受けかごに載置することにより、より簡単に積み重ねることができる。
【００１０】
上記上枠体の長辺が、上記底体の長辺と該底体の両側に延設された張り出し部の長さとの合計よりも短い場合においても、上記開口部に、上積みする方の受けかごの底体の長辺の片側に延設された張り出し部を内挿し、その後、反対側に延設された張り出し部を収めることによって、より簡単に積み重ねることができる。また、該張り出し部を床下収納庫に横架する場合、該張り出し部が大きいので該横架操作が楽になる。
【００１１】
上記底体が線材を格子状に加工して形成されるとともに、この格子状底体と上枠とを連結する連結部材も線材を格子状に加工して形成されるため、積み重ねても、底体を構成する線材のみが重なり、軽量、かつ、嵩張らない構造とすることができる。また、上記線材が鋼線を樹脂コーティングしてなるため、例えば、白色に樹脂コーティングすることにより、清潔感を与え、意匠的に優れたものとなる。
【発明を実施するための最良の形態】
【００１２】
以下、本発明の実施形態を、図面を参照して、さらに詳細に説明する。図１は、鋼線をポリエチレンコーティングした白色の線材を格子状に加工して形成された本発明にかかる受けかごＡを示す斜視図である。図２、図３は、図１に示す受けかごＡの正面図、側面図である。図１において、受けかごＡは、長方形の上枠体２と、底体１と、上記上枠体２と底体１とを連結する連結部材３とからなり、底体１の両端縁から平面視略コの字形の張り出し部４１、４２が延設されている。図１、図２からよくわかるように、底体１は、上枠体２の長辺と短辺よりそれぞれ小さい長辺と短辺からなる長方形であり、上枠体２と格子状の底体１とを連結する連結部材３もまた格子状とされている。
【００１３】
本実施形態においては、図２に示すように、上枠体２の長辺の長さｃは、底体１の端縁から延設された張り出し部４１、４２の各張り出し長さａと底体１の長辺の長さｂとの合計長さｂ＋２ａより長い。また、図３から明らかなように、上枠体２の短辺と底体１の短辺とを連結する連結部材３が除去されているため側面には開口部５が形成されている。図示していないが、他の実施形態としては、上枠体２の長辺の長さｃに対して、底体１の端縁から延設された張り出し部４１、４２の各張り出し長さａと底体１の長辺の長さｂとの合計長さｂ＋２ａを長くしても、上記開口部に、上積みする方の受けかごの底体の長辺の片側に延設された張り出し部を内挿し、その後、反対側に延設された張り出し部を収めることによって、より簡単に積み重ねることができる。
【００１４】
図４は、上記のように構成された受けかごＡに、受けかごＢを積み重ねる動作を示す説明図である。図４からよくわかるように、ｃ＞ｂ＋２ａであるため、また、上枠体２の短辺は底体１の短辺よりも長いため、受けかごＢを受けかごＡに載置するだけで、容易に積み重ねることができる。このように、複数の受けかごを積み重ねても、格子状の底体１を構成する線材同士が一定間隔（この一定間隔は該線材の直径と連結部材３の傾斜角度で決定される）で重なるため、大きく嵩張らず、簡単に積み重ねることができる。図５は、上記のように構成した受けかごＡを、床Ｆに設置した床下収納庫６の側板に設けられた段差６１、６２にその張り出し部４１、４２を横架した状態を示す部分側断面図である。図５からよくわかるように、受けかごＡを横架することによって、簡単に手を伸ばせる床下収納庫６の上部空間を、使い勝手よく有効利用することができる。
【図面の簡単な説明】
【００１５】
【図１】本発明にかかる受けかごを示す斜視図である。
【図２】図１に示す受けかごを示す正面図である。
【図３】図１に示す受けかごを示す側面図である。
【図４】受けかごを積み重ねる状態を示す説明図である。
【図５】本発明にかかる受けかごを床下収納庫に適用した例を示す部分断面図である。
【符号の説明】
【００１６】
Ａ、Ｂ      本発明にかかる受けかご
１          底体
２          上枠体
３          連結部材
４１        張り出し部材
４２        張り出し部材
５          開口部
６          床下収納庫
６１、６２  上記に設けられた段差
Ｆ          床
【図１】
2005068799.tif 000003
【図２】
2005068799.tif 000004
【図３】
2005068799.tif 000005
【図４】
2005068799.tif 000006
【図５】
2005068799.tif 000007